(57)【特許請求の範囲】
【請求項１】
軸受部材に回転可能に支持された中心回転軸と；
前記中心回転軸の軸線方向に離れた二つの位置において各々同心配置された固定端板と；
両端を前記固定端板に前記中心回転軸と同心に回転可能に支持された金属薄膜製の外筒と；
両端を前記固定端板に回転可能に支持され、前記中心回転軸の外周面に摺接すると共に、前記外筒の内周面に摺接する複数個の転動ラバーロールと；
を有し、前記転動ラバーロールは前記外筒と前記中心回転軸との間の円環状の空間を円周方向に複数個の熱媒体室に区分しており、その複数個の熱媒体室の各々に熱媒体が入るよう構成されていることを特徴とするタッチロール。
【請求項２】
請求項１に記載のタッチロールにおいて、
前記各転動ラバーロールのうちの少なくとも１つの転動ラバーロールは、他の転動ラバーロールとはクラウニング量が異なっていることを特徴とするタッチロール。
【請求項３】
請求項１または請求項２に記載のタッチロールにおいて、
前記固定端板をインデックス位置決めすることが可能なインデックス位置決め手段を有することを特徴とするタッチロール。
【請求項４】
軸受部材に回転可能に支持された中心回転軸と；
前記中心回転軸の軸線方向に離れた二つの位置において各々同心配置された固定端板と；
両端を前記固定端板に前記中心回転軸と同心に回転可能に支持された金属薄膜製の外筒と；
両端を前記固定端板に回転可能に支持され、前記中心回転軸の外周面に摺接すると共に、前記外筒の内周面に摺接する複数個の転動ラバーロールと；
を有し、前記転動ラバーロールは前記外筒と前記中心回転軸との間の円環状の空間を円周方向に複数個の熱媒体室に区分しており、その複数個の熱媒体室の各々に熱媒体が入るよう構成されており、
前記各転動ラバーロールのうちの少なくとも１つの転動ラバーロールは、他の転動ラバーロールとはクラウニング量が異なっていることを特徴とする主ロール。
【請求項５】
請求項４に記載の主ロールにおいて、
前記各固定端板をインデックス位置決めすることが可能なインデックス位置決め手段を有することを特徴とする主ロール。
【請求項６】
軸受部材に回転可能に支持された中心回転軸と；
前記中心回転軸の軸線方向に離れた二つの位置において各々同心配置された固定端板と；
両端を前記固定端板に前記中心回転軸と同心に回転可能に支持された金属薄膜製の外筒と；
両端を前記固定端板に回転可能に支持され、前記中心回転軸の外周面に摺接すると共に、前記外筒の内周面に摺接する複数個の転動ラバーロールと；
を有し、前記転動ラバーロールは前記外筒と前記中心回転軸との間の円環状の空間を円周方向に複数個の熱媒体室に区分しており、その複数個の熱媒体室の各々に熱媒体が入るよう構成されており、
前記各固定端板をインデックス位置決めすることが可能なインデックス位置決め手段を有することを特徴とする主ロール。
【請求項７】
請求項１〜請求項３のいずれか１項に記載のタッチロール、請求項４〜請求項６のいずれか１項に記載の主ロールのうちの少なくもいずれかのロールを有することを特徴とするタッチロール式のシート・フィルムキャスティング装置。
【請求項８】
請求項１〜請求項３のいずれか１項に記載のタッチロール、請求項４〜請求項６のいずれか１項に記載の主ロールのうちの少なくもいずれかのロールを有することを特徴とする微細パターン転写装置。
【発明の詳細な説明】
【技術分野】
【０００１】
この発明は、タッチロール、主ロール、シート・フィルムキャスティング装置および微細パターン転写装置に関し、特に、外筒の内側に複数のラバーロールを有するロール等に関するものである。
【背景技術】
【０００２】
従来、Ｔダイ４０１から出てきた溶融樹脂Ｗを、主ロール４０３とタッチロール４０５とで挟み込んでシール・フィルムを成形するシート・フィルム成形装置が知られている（図１７参照）。
【０００３】
上記シート・フィルム成形装置のタッチロール４０５は、両端に軸部を有し、この軸部に軸受部を介して回転可能に支持される内筒部材４０７と、内筒部材４０７の外周面に装着されたラバーロールと、内筒部材の両端の軸部の各々に回転可能に装着された偏心側板と、偏心側板によって回転可能に支持されラバーロールの外径より大きい内径を有し筒内にラバーロールを収容し内周面がラバーロールの外周面に接触する薄肉構造の円筒状の金属製弾性外筒４０９とを備えて構成されている（たとえば、特許文献１参照）。
【特許文献１】特開２００７−８３５７７
【発明の開示】
【発明が解決しようとする課題】
【０００４】
ところで、上記従来のシート・フィルム成形装置では、タッチロール４０５の剛性不足により、主ロール４０３とタッチロール４０５とで樹脂Ｗを挟み込んだときにタッチロール４０５が弾性変形し、シート・フィルムの幅方向で均一な押し付け力を得ることができないおそれがあるという問題がある。
【０００５】
この問題は、幅の広い樹脂を成形すべく主ロールやタッチロールの長さを長くした場合や主ロールやタッチロール質量が大きくなった場合に特に顕著になる。
【０００６】
本発明は、前記問題点に鑑みてなされたものであり、樹脂を挟みこむタッチロール等のロールの変形を極力少なくして、樹脂の幅方向で均一な押し付け力を得ることができるタッチロールや主ロールを提供することを目的とする。
【課題を解決するための手段】
【０００７】
請求項１に記載の発明は、軸受部材に回転可能に支持された中心回転軸と、前記中心回転軸の軸線方向に離れた二つの位置において各々同心配置された固定端板と、両端を前記固定端板に前記中心回転軸と同心に回転可能に支持された金属薄膜製の外筒と、両端を前記固定端板に回転可能に支持され、前記中心回転軸の外周面に摺接すると共に、前記外筒の内周面に摺接する複数個の転動ラバーロールとを有し、前記転動ラバーロールは前記外筒と前記中心回転軸との間の円環状の空間を円周方向に複数個の熱媒体室に区分しており、その複数個の熱媒体室の各々に熱媒体が入るよう構成されているタッチロールである。
【０００８】
請求項２に記載の発明は、請求項１に記載のタッチロールにおいて、前記各転動ラバーロールのうちの少なくとも１つの転動ラバーロールは、他の転動ラバーロールとはクラウニング量が異なっているタッチロールである。
【０００９】
請求項３に記載の発明は、請求項１または請求項２に記載のタッチロールにおいて、前記固定端板をインデックス位置決めすることが可能なインデックス位置決め手段を有するタッチロールである。
【００１０】
請求項４に記載の発明は、軸受部材に回転可能に支持された中心回転軸と、前記中心回転軸の軸線方向に離れた二つの位置において各々同心配置された固定端板と、両端を前記固定端板に前記中心回転軸と同心に回転可能に支持された金属薄膜製の外筒と、両端を前記固定端板に回転可能に支持され、前記中心回転軸の外周面に摺接すると共に、前記外筒の内周面に摺接する複数個の転動ラバーロールとを有し、前記転動ラバーロールは前記外筒と前記中心回転軸との間の円環状の空間を円周方向に複数個の熱媒体室に区分しており、その複数個の熱媒体室の各々に熱媒体が入るよう構成されており、前記各転動ラバーロールのうちの少なくとも１つの転動ラバーロールは、他の転動ラバーロールとはクラウニング量が異なっている主ロールである。
【００１１】
請求項５に記載の発明は、請求項４に記載の主ロールにおいて、前記各固定端板をインデックス位置決めすることが可能なインデックス位置決め手段を有する主ロールである。
【００１２】
請求項６に記載の発明は、軸受部材に回転可能に支持された中心回転軸と、前記中心回転軸の軸線方向に離れた二つの位置において各々同心配置された固定端板と、両端を前記固定端板に前記中心回転軸と同心に回転可能に支持された金属薄膜製の外筒と、両端を前記固定端板に回転可能に支持され、前記中心回転軸の外周面に摺接すると共に、前記外筒の内周面に摺接する複数個の転動ラバーロールとを有し、前記転動ラバーロールは前記外筒と前記中心回転軸との間の円環状の空間を円周方向に複数個の熱媒体室に区分しており、その複数個の熱媒体室の各々に熱媒体が入るよう構成されており、前記各固定端板をインデックス位置決めすることが可能なインデックス位置決め手段を有する主ロールである。
【００１３】
請求項７に記載の発明は、請求項１〜請求項３のいずれか１項に記載のタッチロール、請求項４〜請求項６のいずれか１項に記載の主ロールのうちの少なくもいずれかのロールを有するタッチロール式のシート・フィルムキャスティング装置である。
【００１４】
請求項８に記載の発明は、請求項１〜請求項３のいずれか１項に記載のタッチロール、請求項４〜請求項６のいずれか１項に記載の主ロールのうちの少なくもいずれかのロールを有する微細パターン転写装置である。
【発明の効果】
【００１６】
本発明によれば、樹脂を挟みこむタッチロール等のロールの変形を極力少なくして、樹脂の幅方向で均一な押し付け力を得ることができるという効果を奏する。
【発明を実施するための最良の形態】
【００１７】
この発明によるシート・フィルム成形ロール（たとえば、主ロール）の一つの実施形態を、図１〜図４を参照して説明する。
【００１８】
シート・フィルム成形ロール１０は、図１〜図３に示されているように、中心回転軸２０と、外筒（薄肉スリーブ）４０と、４個の転動ラバーロール７０と、４個の熱媒体給排機構１００とを有する。
【００１９】
中心回転軸２０は、端部２１、２２を、フィルム成形機の操作側軸受部２３、駆動側軸受部２４に各々軸受部材２５、２６を介して回転可能に支持されている。中心回転軸２０の端部２２の側には、中心回転軸２０を回転駆動するためのタイミングプーリ２７が取り付けられている。タイミングプーリ２７は、図示されていないタイミングベルト等によって電動機（図示省略）と駆動連結され、電動機によって回転駆動される。
【００２０】
中心回転軸２０は、軸線方向（図１、図２で見て左右方向）に離れた二つの位置において、円盤状の操作側端板（固定端板）２８と駆動側端板（固定端板）２９を、各々ボール軸受３０、３１を介して支持している。操作側端板２８、駆動側端板２９は、インデックス位置決め自在な端板であり、操作側軸受部２３、駆動側軸受部２４に支持されており、後述するインデックス位置決め手段３０１（図７参照）によって、中心回転軸２０上にインデックス位置決め可能な状態で同心配置されている。ここで云う同心配置とは、操作側軸受部２３、駆動側軸受部２４の外周面が中心回転軸２０と同心であることを意味する。
【００２１】
また、各固定端板２８、２９は、後述するように樹脂Ｗを延伸すべく中心回転軸２０、外筒４０、転動ラバーロール７０が回転（自転）するときには回転しないが、各固定端板２８、２９は、インデックス位置決め手段３０１によってインデックス位置決めされるときには、回動するようになっている。
【００２２】
外筒４０は、ステンレス鋼等の金属薄膜製の円筒体であり、弾性変形可能で、可撓性を有する薄肉構造になっている。外筒４０の左右両端部には円環状の箍（たが）部材４１、４２によって円環状の端部剛性部材４３、４４が固定装着されている。端部剛性部材４３、４４は、操作側端板２８、駆動側端板２９の外周部に軸受固定リング４５、４６を介して取り付けられたボール軸受４７、４８によって操作側端板２８、駆動側端板２９に回転可能に支持されている。これにより、外筒４０は、中心回転軸２０と同心配置で、中心回転軸２０の中心軸線周りに回転可能である。
【００２３】
箍（たが）部材４１、４２を用いた外筒４０と端部剛性部材４３、４４との接続構造の詳細を、図４を参照して説明する。左側の端部剛性部材４３と外筒４０との接続構造と、右側の端部剛性部材４４と外筒４０との接続構造は、左右対称で同一構造であるから、図４では右側の接続構造について図示し、左側の接続構造については、対応部分を同一の符号を付して図示を省略する。
【００２４】
端部剛性部材４３、４４は、各々、外筒４０の両軸端部において外筒４０の内側に挿入嵌合されている。端部剛性部材４３、４４が外筒４０の内周面に嵌合する外周部分には幅広の凹溝（周溝）４９、５０が形成されている。凹溝４９、５０にはゴム状弾性体製のＯリング５１、５２が嵌め込み装着されている。
【００２５】
凹溝４９、５０は、深さが自由寸法状態でのＯリング５１、５２の線径に等しいか、それより大きく（一般的な規定値より０．０５〜０．３ｍｍ程度深い）、幅寸法がＯリング５１、５２の線径より十分に広い（線径の２〜２．５倍程度）幅広のＯリング溝として構成されている。自由寸法状態とは、Ｏリング５１、５２が弾性変形していない状態を云う。
【００２６】
凹溝４９、５０にはＯリング５１、５２の横幅方向に隣接して金属製のカラー部材５３、５４が配置されている。カラー部材５３、５４は、凹溝４９、５０に嵌め込むために、少なくとも２分割されており、Ｏリング５１、５２より端部剛性部材４３、４４の外側（右側の端部剛性部材４４の凹溝５０ではＯリング５２より右側）に隣接配置され、凹溝４９、５０内において軸線方向（左右方向）に移動可能になっている。凹溝４９、５０に装着されたカラー部材５３、５４の外径は、端部剛性部材４３、４４の外径に等しいか、それより小さい寸法に設定されている。
【００２７】
端部剛性部材４３、４４には、端部剛性部材４３、４４の外側端面より凹溝４９、５０の溝側壁面に開口したねじ孔５５、５６が貫通形成されている。ねじ孔５５、５６は、端部剛性部材４３、４４の円周廻りに複数個設けられており、その各々にねじ部材５７、５８がねじ係合している。ねじ部材５７、５８は先端にてカラー部材５３、５４の側面に当接し、ねじ込み量に応じてカラー部材５３、５４をＯリング５１、５２に押し付ける。
【００２８】
外筒４０の両軸端部（凹溝４９、５０に対応する部位）の外周に、各々、金属製の剛体構造の箍（たが）部材４１、４２が嵌合装着されている。箍部材４１、４２は、外筒４０の外周に嵌め込まれて、外筒４０が拡径方向に膨らみ変形することを抑制する。
【００２９】
端部剛性部材４３、４４の取り付けに際しては、凹溝４９、５０に、Ｏリング５１、５２とカラー部材５３、５４を嵌め込み装着し、ねじ部材５７、５８を緩めた状態、つまり、カラー部材５３、５４をＯリング５１、５２に押し付けず、Ｏリング５１、５２が自由寸法状態にある状態で、且つ箍部材４１、４２を取り付けない状態で、端部剛性部材４３、４４を外筒４０の左右軸端の開口より外筒４０内に挿入する。
【００３０】
この挿入時には、Ｏリング５１、５２は自由寸法状態にあり、凹溝４９、５０の深さが自由寸法状態でのＯリング５１、５２の線径に等しいか、それより大きく、Ｏリング５１、５２の全てが凹溝４９、５０内に収められ、Ｏリング５１、５２が端部剛性部材４３、４４の外周面より外側にはみ出していないから、Ｏリング５１、５２が外筒４０の内周面に押し付けられることなく、低摩擦抵抗のもとに、端部剛性部材４３、４４を薄肉の外筒４０内に、円滑に楽に挿入することができる。また、このことにより、挿入作業時に、Ｏリング５１、５２に傷が付くことも回避される。
【００３１】
この挿入作業が、更に行い易く行われるよう、端部剛性部材４３、４４の外筒４０に対する挿入端側は、先細のテーパ外周面４３Ａ、４４Ａになっており、しかも、凹溝４９、５０が形成されているストレート外周面４３Ｂ、４４Ｂとテーパ外周面４３Ａ、４４Ａとの接続部４３Ｃ、４４ＣはＲ面になっている。
【００３２】
上述の挿入作業完了後に、箍部材４１、４２を外筒４０の両軸端部の外周に嵌合装着する。その後、ねじ部材５７、５８をねじ込み、カラー部材５３、５４をＯリング５１、５２に押し付け、Ｏリング５１、５２を弾性変形させる。Ｏリング５１、５２は、ねじ部材５７、５８のねじ込み量に応じて端部剛性部材４３、４４と外筒４０との間で圧縮状態で弾性変形する。Ｏリング５１、５２の弾性変形による反発力によって外筒４０が膨らみ変形することは箍部材４１、４２によって抑制される。
【００３３】
これにより、端部剛性部材４３、４４と外筒４０とが、Ｏリング５１、５２の弾性変形による反発力によって当該両者間に生じる摩擦抵抗によって、相対変位不能に、液密に連結接続される。これと同時に、外筒４０と箍部材４１、４２も、Ｏリング５１、５２の弾性変形による反発力によって当該両者間に生じる摩擦抵抗によって、相対変位不能に、連結接続される。
【００３４】
このように箍部材４１、４２によって外筒４０が膨らみ変形することが抑制された状態で、Ｏリング５１、５２が弾性変形していることにより、外筒４０と端部剛性部材４３、４４との液密接続の強度が安定し、Ｏリング５１、５２の弾性変形量を大きくして耐圧強度を高くすることもできる。このＯリング５１、５２の弾性変形量は、ねじ部材５７、５８のねじ込み量調整により、任意値に自由に設定することができる。
【００３５】
この接続構造では、上述した挿入作業と逆の作業を行うことにより、外筒４０と端部剛性部材４３、４４とを容易に分解することができ、保守性に優れたものになる。
【００３６】
図１〜図３に示されているように、４個の転動ラバーロール７０は、同一構造であり、各々、左右の軸端部材７１、７２と、左右の軸端部材７１、７２間に掛け渡されてこれらと一体の金属製円筒体７３と、金属製円筒体７３の外周に貼り付けられたゴム状弾性体製の円筒ラバー７４とにより中空円筒体として構成されている。
【００３７】
転動ラバーロール７０は、各々、軸端部材７１、７２に形成された支持軸部７５、７６をもってボール軸受７７、７８を介して操作側端板２８、駆動側端板２９に、自身の中心軸線周りに回転可能に支持されている。
【００３８】
４個の転動ラバーロール７０は、中心回転軸２０の中心軸線周りに等間隔に、９０度の回転角間隔をもって配置され、円筒ラバー７４をもって中心回転軸２０の外周面に摺接（圧接）している共に、外筒４０の内周面に摺接（圧接）している。
【００３９】
これにより、中心回転軸２０の回転が摩擦力によって各転動ラバーロール７０に伝達されて各転動ラバーロール７０が自身の中心軸線周りに回転する。そして、各転動ラバーロール７０の回転が摩擦力によって外筒４０に伝達され、外筒４０が中心回転軸２０の中心軸線周りに回転する。
【００４０】
なお、無負荷状態（シート・フィルム成形ロール１０の外筒４０にタッチロール等により外部より外力を与えられていない状態）では、転動ラバーロール７０は、中心回転軸２０や外筒４０と小さい隙間をもって接触していない設定もあり得る。
【００４１】
図３に示されているように、中心回転軸２０が時計廻り方向にモータ駆動される場合、各転動ラバーロール７０は反時計廻り方向に転動し、外筒４０が反時計廻り方向に回転する。
【００４２】
各転動ラバーロール７０の軸端部材７２には油圧供給孔８３が形成されている。油圧供給孔８３にはロール外部の油圧供給手段８４がロータリジョイント８２によって接続され、油圧供給孔８３は油圧供給手段８４よりの油圧をロール内空間８５に導入するようになっている。つまり、転動ラバーロール７０は、中空ロールで、ロール内空間に、ロータリジョイント８２によって油圧が供給され、ロール内空間の圧力を可変設定できる。
【００４３】
これにより、転動ラバーロール７０が回転（転動）していても、ロール内空間８５の内圧が油圧によって可変設定され、ロール内空間８５の内圧によって転動ラバーロール７０、金属製円筒体７３、円筒ラバー７４が太鼓状に膨らむ。これに応じて外筒４０も太鼓状に膨らみ、外筒４０にクラウニングが可変付与される。
【００４４】
なお、円筒ラバー７４の材質として、天然ゴム、エチレンプロピレンゴム、ニトリルゴム、クロロプレンゴム、シリコンゴム、ウレタンゴム、フッ素ゴム、パイパロン、スチレンブタジエンゴム、ブチルゴム等を掲げることができる。
【００４５】
中心回転軸２０と操作側端板２８、駆動側端板２９との間には、各々メカニカルシール部材５９、６０が装着されており、操作側端板２８、駆動側端板２９と端部剛性部材４３、４４との間は、各々メカニカルシール部材６１、６２が装着されている。また、操作側端板２８、駆動側端板２９と支持軸部７５、７６との間は、各々メカニカルシール部材８６、８７が装着されている。
【００４６】
これにより、操作側端板２８、駆動側端板２９、端部剛性部材４３、４４、外筒４０によって囲まれた外筒内空間は、その中心部を中心回転軸２０が貫通する形態で、液密構造になっている（水や油等の熱媒体が入って充填されるようになっている）。外筒４０と中心回転軸２０との間の液密構造の円環状空間は、４個の転動ラバーロール７０によって中心回転軸２０ならびに外筒４０の円周方向に四分割され、隣接する転動ラバーロール７０間に、第１熱媒体室９１、第２熱媒体室９２、第３熱媒体室９３、第４熱媒体室９４が画定されている（図３参照）。
【００４７】
４個の熱媒体給排機構１００は、互いに同一構造のものであり、第１〜第４熱媒体室９１、９２、９３、９４の各々に一つずつ固定配置されている。熱媒体給排機構１００は、各々、くの字形横断面の溝形部材１０１と、溝形部材１０１に溶接されて外筒４０の内周面に近接する円弧状板部材１０２とを有する。溝形部材１０１と円弧状板部材１０２は、外筒４０の軸線方向幅一杯に設けられており、円弧状板部材１０２には、ほぼ全域に多数の熱媒体噴出孔１０６が明けられている。換言すると、熱媒体噴出孔１０６は、外筒４０の軸線方向幅のほぼ全域に多数設けられている。
【００４８】
各熱媒体給排機構１００の溝形部材１０１と円弧状板部材１０２の連結体の両端は端板１０３、１０４に固定されている。端板１０３、１０４は、溝形部材１０１と円弧状板部材１０２の連結体の両端を閉じて連結体の内側に各熱媒体給排機構１００毎の熱媒体供給室１０５を画定している。
【００４９】
各熱媒体給排機構１００には熱媒体給排管１０７が設けられている。熱媒体給排管１０７は熱媒体供給室１０５内に固定配置され、両端が端板１０８、１０９および操作側端板２８、駆動側端板２９を貫通してロール外に突出している。熱媒体給排管１０７は軸線方向の中央部を仕切板１１０により仕切られ、駆動側端板２９の側が熱媒体供給通路１１１になっており、操作側端板２８の側が熱媒体排出通路１１２になっている。そして熱媒体給排管１０７の駆動側端板２９の側の端部が熱媒体入口１１３、操作側端板２８の側の端部が熱媒体出口１１４になっている。
【００５０】
熱媒体給排管１０７の熱媒体供給通路１１１部分には熱媒体供給室１０５に向けて開口した多数の熱媒体供給孔１１５が明けられている。熱媒体給排管１０７の熱媒体排出通路１１２部分には溝形部材１０１と共に熱媒体供給室１０５の外側（第１〜第４熱媒体室９１、９２、９３、９４）に向けて開口した多数の熱媒体排出孔１１６が明けられている。
【００５１】
この構造により、第１〜第４熱媒体室９１、９２、９３、９４の各々において、熱媒体が、熱媒体入口１１３より熱媒体供給通路１１１に入り、これより熱媒体供給孔１１５を通って熱媒体供給室１０５に入り、熱媒体噴出孔１０６より外筒４０の内周面に向けて噴出し、熱媒体供給室１０５の外側に流れ、熱媒体排出孔１１６より熱媒体排出通路１１２に入り、熱媒体出口１１４より外部へ排出される。つまり、熱媒体が、第１〜第４熱媒体室９１、９２、９３、９４の各熱媒体室毎に個別に独立して流通する。
【００５２】
これにより、第１〜第４熱媒体室９１、９２、９３、９４の各々の熱媒体給排管１０７に供給する熱媒体の温度を個別に設定することにより、外筒４０の表面温度を、第１〜第４熱媒体室９１、９２、９３、９４の各々に対応する帯状ゾーン毎に個別に設定することができる。換言すると、外筒４０の表面温度を、第１〜第４熱媒体室９１、９２、９３、９４毎に、ロール回転方向の区分された温調ゾーンとして、個別に設定することができる。
【００５３】
第１〜第４熱媒体室９１、９２、９３、９４は、円筒ラバー７４をもって中心回転軸２０と外筒４０に接触する転動ラバーロール７０により区切られるから、シール効果が得られ、第１〜第４熱媒体室９１、９２、９３、９４の熱媒体室間を熱媒体が短絡漏洩することがない、あるいは極力避けられる。
【００５４】
このことにより、第１〜第４熱媒体室９１、９２、９３、９４毎に得られる温調ゾーンの温度、さらには、外筒４０の表面温度を各温調ゾーン毎に高精度に的確に設定することが可能になる。
【００５５】
しかも、第１〜第４熱媒体室９１、９２、９３、９４の各々において、外筒４０の軸線方向幅一杯に設けられている円弧状板部材１０２のほぼ全域に明けられた多数の熱媒体噴出孔１０６より温調された熱媒体が外筒４０の内周面に向けて噴出することにより、外筒４０の表面温度を、第１〜第４熱媒体室９１、９２、９３、９４による各温調ゾーン毎に、ほぼ均一に設定することができる。
【００５６】
このことにより、各温調ゾーン毎の外筒４０の表面温度が、ロール軸線方向に勾配を持つことがなく、均一になる。
【００５７】
回転するシート・フィルム成形ロール１０において、各温調ゾーン毎の外筒４０の表面温度を明確に異なるものにするために、外筒４０を熱容量が小さい薄肉構造としても、外筒４０は、転動ラバーロール７０により裏当て金式にバックアップされるから、タッチロール式のシート・フィルムキャスティングや微細パターン転写において、タッチロールの配置位置を転動ラバーロール７０の配置位置に対応させることにより、外筒４０の肉厚を薄くしても、外筒４０の変形が抑えられて充分な押圧力を確保することができる。
【００５８】
これにより、タッチロール式のシート・フィルムキャスティングや微細パターン転写において、回転するシート・フィルム成形ロール１０の外筒４０の表面温度に、ロール円周方向に区分された各温調ゾーン毎に差を持たせることができる。
【００５９】
なお、第１〜第４熱媒体室９１、９２、９３、９４のいずれかにおいて、熱媒体給排機構１００を削除した構成であってもよい。さらには、第１〜第４熱媒体室９１、９２、９３、９４のいずれかにおいて、熱媒体給排機構１００に代えてまたは加えて、ヒータを設けた構成であってもよい。
【００６０】
この場合、ヒータとして、電気を熱源とするヒータが設けられる。電気を熱源とするヒータは、たとえば、ジュール熱で発熱する電熱ヒータ、誘導電流の抵抗加熱により発熱する誘導加熱ヒータで構成されている。なお、電気を熱源とするヒータに代えてまたは加えて蒸気を熱源とするヒータ（蒸気ヒータ）を設けた構成であってもよい。また、ヒータは、中心回転軸２０の軸に沿って熱媒体室のたとえば全長にわたって設けられるものとする。
【００６１】
前述したように、各熱媒体室９１、９２、９３、９４は、水や油等の熱媒体で満たされているものとし、ヒータが発する熱が熱媒体を介して外筒４０に伝わるようになっている。たとえば、ヒータが設置される熱媒体室として、媒体室９１、９２を掲げることができ、熱媒体給排機構１００が設置される熱媒体室として、樹脂を冷却する必要がある媒体室９３を掲げることができ、ヒータや熱媒体給排機構１００が設置されない熱媒体室として、媒体室９４を掲げることができる（図５参照）。
【００６２】
図５は、上述の実施形態による主ロールとして適用したタッチロール式のシート・フィルムキャスティング装置の一つの実施形態を示している。
【００６３】
本実施形態のシート・フィルムキャスティング装置は、シート・フィルム成形ロール１０の回転中心軸線周りの回転位相位置が互いに１８０度異なる水平配列の二つの転動ラバーロール７０の各々に対応して、つまり、ロール周方向で見て二つの転動ラバーロール７０の各々の配置位置と同じ配置位置に、タッチロール２１１、２１２が設けられている。
【００６４】
Ｔダイ２０１よりの溶融した熱可塑性樹脂は、下向きに、主ロール１０とタッチロール２１１との間に供給され挟みこまれる。
【００６５】
この場合、タッチロール２１１の配置位置が熱可塑性樹脂の主ロール１０に対する接触開始位置になり、この接触開始位置は第１熱媒体室９１と第２熱媒体室９２との境界部に存在する。タッチロール２１２の配置位置が熱可塑性樹脂の主ロール１０よりの引き離し位置になり、この引き離し位置は第３熱媒体室９３と第４熱媒体室９４との境界部に存在する。
【００６６】
熱可塑性樹脂は、主ロール１０の回転に従って、主ロール１０のロール表面に接触した状態で、接触開始位置より引き離し位置へ向けて移動し、その間に、第２熱媒体室９２による温調ゾーン、第３熱媒体室９３による温調ゾーンを順に通過することにより、冷却され、固化する。
【００６７】
本実施形態では、主ロール１０の温度管理は、第１熱媒体室９１の熱媒体供給室１０５に供給する熱媒体の温度が最も高く、第２熱媒体室９２、第３熱媒体室９３に向かうに従って、熱媒体供給室１０５に供給する熱媒体の温度が低く、第４熱媒体室９４の熱媒体供給室１０５に供給する熱媒体の温度が第３熱媒体室９３の熱媒体供給室１０５に供給する熱媒体の温度より少し高めになるようにする。
【００６８】
外筒４０の表面温度は、第１〜第４熱媒体室９１、９２、９３、９４毎に得られる各温調ゾーンにおいて、第１〜第４熱媒体室９１〜９４の各々の熱媒体供給室１０５に供給する熱媒体の温度にほぼ等しいものになる。
【００６９】
タッチロール２１１の表面温度は、第２熱媒体室９２による温調ゾーンにおける外筒４０の表面温度にほぼ等しく、タッチロール２１２の表面温度は、第３熱媒体室９３による温調ゾーンにおける外筒４０の表面温度にほぼ等しくなるように、温調する。
【００７０】
たとえば、Ｔダイ２０１より流出する溶融樹脂の温度を２７０℃とすると、第１熱媒体室９１の熱媒体供給室１０５に供給する熱媒体の温度を１６０℃、第２熱媒体室９２の熱媒体供給室１０５に供給する熱媒体の温度を１３０℃、第３熱媒体室９３の熱媒体供給室１０５に供給する熱媒体の温度を８０℃、第４熱媒体室９４の熱媒体供給室１０５に供給する熱媒体の温度を１００℃程度に設定する。
【００７１】
これにより、Ｔダイ２０１より流出する溶融樹脂の主ロール１０に対する接触開始位置のロール表面温度を、ロール周方向に温度差がない主ロールを用いる場合に比して、高めに設定し、樹脂とロール表面（外筒４０の表面）との密着性を充分に確保することができる。
【００７２】
そして、キャスティングされた樹脂（シート・フィルムＷ）が主ロール１０より引き離される引き離し位置近くのロール表面温度を、ロール周方向に温度差がない主ロールを用いる場合に比して、低めに設定する。これにより、樹脂の表面性を確保しつつ、樹脂を、結晶化温度付近のロール表面を急速に通過させ、樹脂をロール表面よりスムーズに引き離すことができる。これらのことにより、高品質のシート・フィルムＷをキャスティングすることができる。
【００７３】
ところで、主ロール１０に設けられている各転動ラバーロール７０のうちの少なくとも１つの転動ラバーロール７０は、他の転動ラバーロール７０とはクラウニング量が異なっている。すなわち、たとえば、油圧供給孔８３から油が供給されておらず内部がたとえばほぼ大気圧になっている状態であってもクラウニング量が異なっている。また、図５に示すシート・フィルムキャスティング装置では、タッチロール２１１と接触する部位における転動ラバーロール７０Ａのクラウニング量と、タッチロール２１２と接触する部位における転動ラバーロール７０Ｃのクラウニング量とが、他の転動転動ラバーロール７０Ｂ、７０Ｄのクラウニング量よりも大きくなっている。
【００７４】
主ロール１０は、１つの転動ラバーロール７０Ａが接触している外筒４０の内周面に対応する外周面の箇所でタッチロール２１１と接触し、溶融樹脂Ｗを挟み込むようになっている。すなわち、樹脂Ｗの挟み込みによって外筒４０が外力を受けた場合、この外力を転動ラバーロール７０Ａが主に受けるようになっている。転動ラバーロール７０Ｃの場合も同様である。
【００７５】
ここで、転動ラバーロール７０のクラウニングについて図８を参照しつつ説明する。
【００７６】
図８（ａ）は、転動ラバーロール７０を構成している円筒ラバー７４を軸方向で中凸にしてクラウニングを施した状態を示す図である。図８（ｂ）は、転動ラバーロール７０を構成している金属製円筒体７３を軸方向で中凸にしてクラウニングを施した状態を示す図である。図８（ｃ）は、クラウニングを施していない転動ラバーロール７０である。図８（ｃ）に示す転動ラバーロール７０は、円柱状になっている。なお、円筒ラバー７４、金属製円筒体７３の両方を中凸にして、転動ラバーロール７０にクラウニングを施すようにしてもよい。
【００７７】
このように構成したタッチロール式のシート・フィルムキャスティング装置(図５参照)によれば、各転動ラバーロール７０のクラウニング量が異なっているので、シート・フィルムの成形を従来よりも的確に行うことができる。すなわち、転動ラバーロール７０Ａや転動ラバーロール７０Ｃのクラウニング量を、他の転動ラバーロール７０Ｂ、７０Ｄのクラウニング量よりも大きくしておけば、タッチロール２１１、２１２と協働して樹脂Ｗを挟みこむときに、転動ラバーロール７０Ａ、７０Ｃが他の転動ラバーロール７０Ｂ、７０Ｄよりも大きな力で受けても、主ロール１０の変形を極力小さくすることができる。
【００７８】
なお、上記説明では、複数の転動ラバーロール７０うちの２つの転動ラバーロール７０にクラウニングが施されており、他の転動ラバーロールにはクラウニングがされていないが、総ての転動ラバーロール７０にクラウニングがされており、そのうちの少なくとも１つの転動ラバーロールのクラウニング量が他の転動ラバーロールのクラウニング量よりも大きいか小さくなっていてもよい。
【００７９】
また、図５に示すタッチロール式のシート・フィルムキャスティング装置には、各固定端板２８、２９（各転動ラバーロール７０）をインデックス位置決めすることが可能なインデックス位置決め手段３０１が設けられている。
【００８０】
インデックス位置決め手段３０１は、たとえば、位置決めピン３０３等を備えたインデックス位置決め機構で構成されている。
【００８１】
図７を参照し例を掲げて説明する。駆動側端板２９には、大歯車３０５と、位置決めピン３０３が入り込む孔（内径が位置決めピン３０３の外径よりもごく僅かに大きい孔）を備えた位置決めピン係合部材３０７とが一体的に設けられている。大歯車３０５は中心回転軸２０と同心で１つ設けられているが、位置決めピン係合部材３０７は、駆動側端板２９の円周を等分配する位置に、各転動ラバーロール７０に対応してたとえば４つ設けられている。
【００８２】
軸受部２４には、サーボモータ等のアクチュエータ３０９の筐体が一体的に設けられている。アクチュエータ３０９の回転出力軸には、小歯車３１１が一体的に設けられており、小歯車３１１は大歯車３０５に噛合している。
【００８３】
また、軸受部２４には、流体圧シリンダ等のアクチュエータ３１３の筐体が一体的に設けられおり、流体圧シリンダ３１３のピストンロッドの先端に位置決めピン３０３が一体的に設けられている。位置決めピン３０３は、ブッシュ３１５を介して軸受部２４にスライド自在に支持されている。
【００８４】
なお、大歯車３０５や位置決めピン係合部材３０７は、転動ラバーロール７０等とは干渉しない箇所に設けられている。また、位置決めピン３０３、大歯車３０５、位置決めピン係合部材３０７、サーボモータ３０９、小歯車３１１、流体圧シリンダ３１３、ブッシュ３１５は、駆動側端板２８や軸受部２３にも同様に設けられている。
【００８５】
そして、図示しない制御装置の制御の下、位置決めピン３０３が、位置決めピン係合部材３０７から離れている状態で、各サーボモータ（軸受部２４側に設けられているサーボモータと軸受部２３側に設けられているサーボモータ）３０９とを同期して回転せしめ、主ロール１０を回動位置決めし、流体圧シリンダ３１３で位置決めピン３０３を位置決めピン係合部材３０７の孔に係合せしめれば、主ロール１０のインデックス位置決めがなされるのである。
【００８６】
なお、サーボモータ等のアクチュエータ３０９を削除し、主ロール１０を手動で回動させてもよい。
【００８７】
図５に示すタッチロール式のシート・フィルムキャスティング装置によれば、インデックス位置決め手段３０１を備えているので、成形する樹脂Ｗの種類に応じてクラウニング量の異なる転動ラバーロール７０をインデックス位置決めすることができ、従来よりも的確なシート・フィルムの成形を行うことができる。
【００８８】
なお、図５に示すタッチロール式のシート・フィルムキャスティング装置では、転動ラバーロール７０のクラウニング量を変えているが、総ての転動ラバーロール７０にクラウニングを設けないか、総ての転動ラバーロール７０に同じ量のクラウニングを施してあってもよい。
【００８９】
これにより、各転動ラバーロール７０のうちの１つの転動ラバーロールのラバーが磨耗した場合に、この磨耗したラバーを備えた転動ラバーロール７０を、インデックス位置決め手段３０１により他の転動ラバーロール７０に容易に変えることができ、長期間にわたって正確なシート・フィルムの成形を行うことができる。
【００９０】
ところで、タッチロール２１１、２１２として転動ラバーロール７０等を備えた主ロール１０と同様に構成されているものを採用してもよい(図５参照)。
【００９１】
この場合、タッチロール２１１は、１つの転動ラバーロール７０Ｅが接触している外筒３２１の内周面に対応する外周面の箇所で主ロール１０と接触し、溶融樹脂Ｗを挟み込むようになっている。また、図５から理解されるように、タッチロール２１１の外筒３２１の回転中心軸と、タッチロール２１１に設けられている各転動ラバーロール７０のうちの１つの転動ラバーロール７０Ｅの回転中心軸と、主ロール１０の外筒４０の回転中心軸と、主ロール１０に設けられているうちの１つの転動ラバーロール７０Ａの回転中心軸と、主ロール１０の外筒４０とタッチロール２１１の外筒３２１との接触部とは、ほぼ一直線上に位置している。そして、樹脂Ｗの挟み込みによって外筒４０、３２１が外力を受けた場合、この外力を転動ラバーロール７０Ａ、７０Ｅ、各中心回転軸２０が主に受けるようになっている。
【００９２】
なお、図５では、タッチロール２１１において４つの各転動ラバーロール７０を等分配して配置してあるが、図６に示すように、２つや３つもしくは５つ以上の転動ラバーロール７０を適宜配置してあってもよい。
【００９３】
タッチロール２１２もタッチロール２１１と同様に構成されているものとする。また、タッチロール２１１やタッチロール２１２の転動ラバーロール７０も、主ロール１０の転動ラバーロール７０と同様にクラウニングされている場合があるものとする。さらに、タッチロール２１１やタッチロール２１２にも、主ロール１０の場合と同様にしてインデックク位置決め手段３０１が設けられている場合があるものとする。
【００９４】
図６に示すタッチロール式のシート・フィルムキャスティング装置によれば、タッチロール２１１、２１２が外筒３２１の内部に複数の転動ラバーロール７０を備えており、タッチロール２１１、２１２の剛性が従来よりも高くなっている。そして、タッチロール２１１、２１２が、転動ラバーロール７０が接触している外筒３２１の内周面に対応する外周面の箇所で主ロール１０と接触するので、幅の広い樹脂Ｗを成形する場合であっても、樹脂Ｗを挟みこむタッチロール２１１、２１２や主ロール１０の変形が極力少なくなり、樹脂Ｗの幅方向で均一な押し付け力を得ることができる。
【００９５】
図９は、タッチロール式のシート・フィルムキャスティング装置の他の実施形態として、タッチロール２１１、２１２に加え、第２熱媒体室９２と第３熱媒体室９３との境界部に存在する転動ラバーロール７０に対応する位置に、もう一つのタッチロール２１３が設けられている。なお、タッチロール２１３も、転動ラバーロール７０等を備えてタッチロール２１１、２１２と同様に構成されている。
【００９６】
この場合の主ロール１０のロール表面温度と接触開始位置のタッチロール２１１のロール表面温度は、図５に示されている実施形態のものと同じであってもよく、タッチロール２１３のロール表面温度を第３熱媒体室９３の温調ゾーンにおける外筒４０の表面温度にほぼ等しくし、引き離し位置のタッチロール２１２のロール表面温度を第３熱媒体室９３の温調ゾーンにおける外筒４０の表面温度より低く設定する。たとえば、第３熱媒体室９３の熱媒体供給室１０５に供給する熱媒体の温度が８０℃であれば、タッチロール２１２のロール表面温度を４０℃程度に設定する。
【００９７】
これにより、主ロール１０より引き離される樹脂の温度が低くなり、キャスティング過程での樹脂冷却が充分に行われ、樹脂をロール表面より、より一層スムーズに引き離すことができるようになる。
【００９８】
また、図１０は、タッチロール式のシート・フィルムキャスティング装置の他の実施形態として、主ロール１０の回転中心軸線周りの回転位相位置が互いに９０度異なる配列の二つの転動ラバーロール７０の各々に対応して、タッチロール２１１、２１３が設けられている。
【００９９】
この場合、接触開始位置は、上述の実施形態と同じであるが、タッチロール２１３の配置位置が熱可塑性樹脂のシート・フィルム成形ロール１０よりの引き離し位置になり、この引き離し位置は、第２熱媒体室９２と第３熱媒体室９３との境界部に存在することになる。
【０１００】
本実施形態では、主ロール１０の温度管理は、第１熱媒体室９１の熱媒体供給室１０５に供給する熱媒体の温度が最も高く、第２熱媒体室９２、第３熱媒体室９３に向かうに従って、熱媒体供給室１０５に供給する熱媒体の温度が低くなるようにし、第４熱媒体室９４に関しては、特に、温度管理を行わない。
【０１０１】
たとえば、Ｔダイ２０１より流出する溶融樹脂の温度を２７０℃とすると、第１熱媒体室９１の熱媒体供給室１０５に供給する熱媒体の温度を１３０℃、第２熱媒体室９２の熱媒体供給室１０５に供給する熱媒体の温度を９０℃、第３熱媒体室９３の熱媒体供給室１０５に供給する熱媒体の温度を４０℃、タッチロール２１１のロール表面温度を９０℃、タッチロール２１３のロール表面温度を４０℃程度に設定する。
【０１０２】
本実施形態では、前述の実施形態より、樹脂冷却が急激に行われる。従って、急冷に適した熱可塑性樹脂のシート・フィルムのキャスティングに適している。
【０１０３】
主ロール１０より引き離れたシート・フィルムＷは、案内ロール２３１に案内されて次工程へ移動する。
【０１０４】
図１１は、微細パターン転写装置の一つの実施形態を示している。
【０１０５】
微細パターン転写装置は、熱可塑性樹脂によるシート・フィルムＷを再加熱してシート・フィルムＷの表面にエンボス等の微細パターンを転写賦形するものである。このため、微細パターン転写装置に用いられるシート・フィルム成形ロール１０は、外筒４０の表面に、シート・フィルムＷに転写すべき微細パターンと補形をなす微細パターンを形成されている。
【０１０６】
本実施形態の微細パターン転写装置は、主ロール１０の回転中心軸線周りの回転位相位置が互いに１８０度異なる水平配列の二つの転動ラバーロール７０の各々に対応して、つまり、ロール周方向で見て二つの転動ラバーロール７０の各々の配置位置と同じ配置位置に、タッチロール２２１、２２２が設けられている。なお、タッチロール２２１、２２２も、転動ラバーロール７０等を備えてタッチロール２１１、２１２と同様に構成されている。
【０１０７】
シート・フィルムＷは、案内ロール２３２に案内されてシート・フィルム成形ロール１０のロール表面に対して送り込まれ、シート・フィルム成形ロール１０のロール表面に巻き付くようにして送られ、タッチロール２２１の配置位置が転写開始位置になり、この接触開始位置は第１熱媒体室９１と第２熱媒体室９２との境界部に存在する。タッチロール２２２の配置位置が熱可塑性樹脂のシート・フィルム成形ロール１０よりの引き離し位置になり、この引き離し位置は第３熱媒体室９３と第４熱媒体室９４との境界部に存在する。
【０１０８】
本実施形態では、主ロール１０の温度管理は、第１熱媒体室９１の熱媒体供給室１０５に供給する熱媒体の温度が最も高く、第２熱媒体室９２、第３熱媒体室９３に向かうに従って、熱媒体供給室１０５に供給する熱媒体の温度が低く、第４熱媒体室９４の熱媒体供給室１０５に供給する熱媒体の温度が第３熱媒体室９３の熱媒体供給室１０５に供給する熱媒体の温度より少し高めになるようにする。
【０１０９】
外筒４０の表面温度は、第１〜第４熱媒体室９１、９２、９３、９４毎に得られる各温調ゾーンにおいて、第１〜第４熱媒体室９１〜９４の各々の熱媒体供給室１０５に供給する熱媒体の温度にほぼ等しいものになる。
【０１１０】
タッチロール２２１の表面温度は、第２熱媒体室９２による温調ゾーンにおける外筒４０の表面温度にほぼ等しく、タッチロール２２２の表面温度は、第３熱媒体室９３による温調ゾーンにおける外筒４０の表面温度にほぼ等しくなるように、温調する。
【０１１１】
たとえば、第１熱媒体室９１の熱媒体供給室１０５に供給する熱媒体の温度を１６０℃、第２熱媒体室９２の熱媒体供給室１０５に供給する熱媒体の温度を１３０℃、第３熱媒体室９３の熱媒体供給室１０５に供給する熱媒体の温度を８０℃、第４熱媒体室９４の熱媒体供給室１０５に供給する熱媒体の温度を１００℃程度に設定する。
【０１１２】
これにより、案内ロール２３２に案内されて主ロール１０のロール表面に対して送り込まれたシート・フィルムＷは、主ロール１０のロール表面に対する接触開始位置から転写開始位置に至る間に、第１熱媒体室９１による高温の温調ゾーンによって予熱される。この予熱により転写開始位置ではシート・フィルムＷの温度はガラス転移点温度以上になる。シート・フィルムＷは転写開始位置にてタッチロール２２１によって主ロール１０のロール表面に押し付けられ、ロール表面の微細パターンを転写される。その後、シート・フィルムＷは主ロール１０のロール表面に巻き付いた状態で、主ロール１０の回転に従って引き離し位置へ向けて移動し、その間に、第２熱媒体室９２による温調ゾーン、第３熱媒体室９３による温調ゾーンを順に通過することにより、ガラス転移点温度以下に冷却される。
【０１１３】
これにより、転写開始位置手前のロール表面温度、つまり、予熱を行う第１熱媒体室９１による高温の温調ゾーンの温度を、ロール周方向に温度差がない主ロールを用いる場合に比して、高めに設定し、シート・フィルムＷの温度をガラス転移点温度以上に充分に高めることができ、その後の微細パターンの転写が充分に正確に行われるようになる。
【０１１４】
微細パターンの転写されたシート・フィルムＷを主ロール１０より引き離す引き離し位置近くのロール表面温度を、ロール周方向に温度差がない主ロールを用いる場合に比して、低めに設定することにより、シート・フィルムＷの冷却を充分に行い、シート・フィルムＷに転写した微細パターンを充分に硬化固定して主ロール表面より引き離すことができる。これらのことにより、微細パターンの転写が確実に高精度に行われるようになり、高品質の微細パターン転写のシート・フィルムＷを得ることができるようになる。
【０１１５】
図１２は、微細パターン転写装置の他の実施形態を示している。
【０１１６】
この実施形態では、シート・フィルムＷは、案内ロール２３２に案内されてタッチロール２２１による転写開始位置に送り込まれる。この実施形態は、実質的な予熱を必要としない工程での微細パターン転写や、ガラス転移点温度が低い熱可塑性樹脂の微細パターン転写に適している。
【０１１７】
図１３は、微細パターン転写装置の他の実施形態を示している。
【０１１８】
本実施形態では、主ロール１０の回転中心軸線周りの回転位相位置が互いに９０度異なる二つの転動ラバーロール７０の各々に対応してタッチロール２２１、２２２が設けられている。
【０１１９】
シート・フィルムＷは、案内ロール２３４に案内されてタッチロール２２１による転写開始位置に送り込まれ、タッチロール２２２による引き離し位置にて主ロール１０より引き離される。転写開始位置は第２熱媒体室９１と第２熱媒体室９２との境界部に存在し、引き離し位置は第２熱媒体室９２と第３熱媒体室９３との境界部に存在する。
【０１２０】
本実施形態でも、主ロール１０の温度管理は、第１熱媒体室９１の熱媒体供給室１０５に供給する熱媒体の温度が最も高く、第２熱媒体室９２、第３熱媒体室９３に向かうに従って、熱媒体供給室１０５に供給する熱媒体の温度が低く、第４熱媒体室９４の熱媒体供給室１０５に供給する熱媒体の温度が第３熱媒体室９３の熱媒体供給室１０５に供給する熱媒体の温度より少し高めになるようにする。また、タッチロール２２１の表面温度は、第２熱媒体室９２による温調ゾーンにおける外筒４０の表面温度にほぼ等しく、タッチロール２２２の表面温度は、第３熱媒体室９３による温調ゾーンにおける外筒４０の表面温度にほぼ等しくなるように、温調する。
【０１２１】
この実施形態は、実質的な予熱を必要としない工程での高速の微細パターン転写に適している。
【０１２２】
図１４は、微細パターン転写装置の他の実施形態を示している。
【０１２３】
この実施形態では、主ロール１０が前述の実施形態とは異なって時計廻り方向に回転する。タッチロール２２１、２２２は、シート・フィルム成形ロール１０の回転中心軸線周りの回転位相位置が互いに９０度異なる二つの転動ラバーロール７０の各々に対応して設けられている。
【０１２４】
シート・フィルムＷは、案内ロール２３５に案内されて主ロール１０のロール表面に対して送り込まれ、シート・フィルム成形ロール１０のロール表面に巻き付くようにして送られ、タッチロール２２１の配置位置が転写開始位置になり、この接触開始位置は第１熱媒体室９１と第４熱媒体室９４との境界部に存在する。タッチロール２２２の配置位置が熱可塑性樹脂のシート・フィルム成形ロール１０よりの引き離し位置になり、この引き離し位置は、第４熱媒体室９４と第３熱媒体室９３との境界部に存在する。
【０１２５】
本実施形態では、主ロール１０の温度管理は、第１熱媒体室９１の熱媒体供給室１０５に供給する熱媒体の温度が最も高く、第４熱媒体室９４、第３熱媒体室９３に向かうに従って、熱媒体供給室１０５に供給する熱媒体の温度が低く、第２熱媒体室９４の熱媒体供給室１０５に供給する熱媒体の温度が第３熱媒体室９３の熱媒体供給室１０５に供給する熱媒体の温度より少し高めになるようにする。また、タッチロール２２１の表面温度は、第４熱媒体室９４による温調ゾーンにおける外筒４０の表面温度にほぼ等しく、タッチロール２２２の表面温度は、第３熱媒体室９３による温調ゾーンにおける外筒４０の表面温度にほぼ等しくなるように、温調する。
【０１２６】
この実施形態でも、図１１に示されている実施形態と同等の作用、効果が得られる。
【０１２７】
この発明による主ロールの他の実施形態を、図１５、図１６を参照して説明する。なお、図１５、図１６において、図１〜図３に対応する部分は、図１〜図３に付した符号と同一の符号を付けて、その説明を省略する。
【０１２８】
この実施形態は、中心回転軸２０に加えて外筒４０を強制回転駆動するものである。外筒４０の左右両端（軸線方向の両端部）の箍部材４１、４２の各々に、外筒回転駆動部材として、外歯車１２１、１２２が形成されている。外筒４０の外側に、中心回転軸２０と平行に歯車軸１２３が回転可能に設けられている。歯車軸１２３には外歯車１２１、１２２に噛合する駆動歯車１２４、１２５が固定装着されている。
【０１２９】
歯車軸１２３にはタイミングプーリ１２６が取り付けられている。電動機１２７の出力軸１２８に取り付けられたタイミングプーリ１２９と、タイミングプーリ１２６、２７、１３０とに無端のタイミングベルト１３１が掛け渡されている。
【０１３０】
これにより、中心回転軸２０の回転に同期して外筒４０が回転駆動される。このように、外筒４０が回転駆動されることにより、外筒４０の回転が前述の実施形態のものより安定する。また、外筒４０の回転駆動は、外筒４０の左右両端の箍部材４１、４２の各々に、外歯車１２１、１２２により、つまり、外筒４０の左右両端で行うから、外筒４０の軸直が長くても、外筒４０に捩じれが生じることがない。
【０１３１】
上述の実施形態では、外筒４０内に４個の転動ラバーロール７０を配置して外筒４０内を４分割し、４個の温調ゾーンを設けたが、前述したように(図６参照)、温調ゾーンの個数は４個に限られることなく、必要最小限の個数であればよい。つまり、温調ゾーンの個数は、２個、３個、５個或いはそれ以上の複数個であってもよい。
【図面の簡単な説明】
【０１３２】
【図１】この発明による主ロールの一つの実施形態を示す縦断面図である。
【図２】この発明による主ロールの一つの実施形態を示す平断面図である。
【図３】図１のＥ−Ｅ断面図である。
【図４】本実施形態による主ロールの外筒取付部の拡大断面図である。
【図５】タッチロール式のシート・フィルムキャスティング装置の一つの実施形態を示す図である。
【図６】図５においてタッチロールに転動ラバーロールを配置した状態を示す図である。
【図７】インデックス位置決め手段の構成例を示す図である。
【図８】転動ラバーロールのクラウニングについて説明する図である。
【図９】タッチロール式のシート・フィルムキャスティング装置の他の実施形態を示す図である。
【図１０】タッチロール式のシート・フィルムキャスティング装置の他の実施形態を示す図である。
【図１１】微細パターン転写装置の一つの実施形態を示す図である。
【図１２】微細パターン転写装置の他の実施形態を示す図である。
【図１３】微細パターン転写装置の他の実施形態を示す図である。
【図１４】微細パターン転写装置の他の実施形態を示す図である。
【図１５】この発明による主ロールの他の実施形態を示す縦断面図である。
【図１６】他の実施形態による主ロールを回転駆動系の説明図である。
【図１７】従来のシート・フィルム成形装置の概略構成を示す図である。
【符号の説明】
【０１３３】
１０  シート・フィルム成形ロール（主ロール）
２０  中心回転軸
２１、２２  端部
２３  操作側軸受部
２４  駆動側軸受部
２５、２６  軸受部材
２７  タイミングプーリ
２８  操作側端板
２９  駆動側端板
３０、３１  ボール軸受
４０  外筒
４１、４２  箍部材
４３、４４  端部剛性部材
４５、４６  軸受固定リング
４７、４８  ボール軸受
４９、５０  凹溝
５１、５２  Ｏリング
５３、５４  カラー部材
５５、５６  ねじ孔
５７、５８  ねじ部材
５９、６０、６１、６２  メカニカルシール部材
７０  転動ラバーロール
７１、７２  軸端部材
７３  金属製円筒体
７４  円筒ラバー
７５、７６  支持軸部
７７、７８  ボール軸受
８３  油圧供給孔
８４  油圧供給手段
８５  ロール内空間
８６、８７  メカニカルシール部材
９１、９２、９３、９４  第１〜第４熱媒体室
１００  熱媒体給排機構
１０１  溝形部材
１０２  円弧状板部材
１０３、１０４  端板
１０５  熱媒体供給室
１０６  熱媒体噴出孔
１０７  熱媒体給排管
１０８、１０９  端板
１１０  仕切板
１１１  熱媒体供給通路
１１２  熱媒体排出通路
１１３  熱媒体入口
１１４  熱媒体出口
１２１、１２２  外歯車
１２３  歯車軸
１２４、１２５  駆動歯車
１２６  タイミングプーリ
１２７  電動機
１２８  出力軸
１２９、１３０  タイミングプーリ
１３１  タイミングベルト
２０１  Ｔダイ
２１１、２１２、２１３、２２１、２２２  タッチロール
２３１、２３２、２３４、２３５  案内ロール
【図１】
0005193683.tif 000002
【図２】
0005193683.tif 000003
【図３】
0005193683.tif 000004
【図４】
0005193683.tif 000005
【図５】
0005193683.tif 000006
【図６】
0005193683.tif 000007
【図７】
0005193683.tif 000008
【図８】
0005193683.tif 000009
【図９】
0005193683.tif 000010
【図１０】
0005193683.tif 000011
【図１１】
0005193683.tif 000012
【図１２】
0005193683.tif 000013
【図１３】
0005193683.tif 000014
【図１４】
0005193683.tif 000015
【図１５】
0005193683.tif 000016
【図１６】
0005193683.tif 000017
【図１７】
0005193683.tif 000018